(57)【要約】【課題】容量が制限された電池電源を有効に使用し、付加機能の動作により本来の機能の動作が阻害されるのを確実に防止しながら、ユーザに動作状態を充分に把握させる。【解決手段】画像を撮影するレンズ光学系22、ＣＣＤ23を含む撮影系と、音声を再生する音声処理部39と、この音声処理部39の動作時間を制限し、上記撮影系に供給する電池電源の電力を確保し、電池電源の残量と制限された音声処理部39の残りの動作時間とを表示部14で表示させる制御部32とを備える。【選択図】    図２
2004207989.tif 000002
【特許請求の範囲】
【請求項１】
動作電力を供給する電池電源と、
画像を撮影する撮影手段と、
音声を再生する音声再生手段と、
この音声再生手段の動作時間を制限し、上記電池電源の電力を残しておく電源制御手段と、
上記電池電源の残量を表示する表示手段と
を具備したことを特徴とする電子カメラ。
【請求項２】
上記電池電源の残量を指定する指定手段をさらに具備し、
上記電源制御手段は、上記撮影手段に供給する電源の電力を残し、上記指定手段で指定された電池電源の残量に基づいて上記音声再生手段の動作時間を制限することを特徴とする請求項１記載の電子カメラ。
【請求項３】
上記撮影手段による撮影枚数を指定する指定手段をさらに具備し、
上記電源制御手段は、上記撮影手段に供給する電源の電力を残し、上記指定手段で指定された撮影枚数に基づいて上記音声再生手段の動作時間を制限することを特徴とする請求項１記載の電子カメラ。
【請求項４】
上記表示手段は、上記音声再生手段の残りの動作時間とその時点で電池電源の残量に応じて上記撮影手段で撮影可能な枚数のいずれか一方を切換えて表示することを特徴とする請求項１記載の電子カメラ。
【請求項５】
上記表示手段は、上記音声再生手段の残りの動作時間とその時点で電池電源の残量に応じて上記撮影手段で撮影可能な枚数を共に表示することを特徴とする請求項１記載の電子カメラ。
【請求項６】
上記表示手段は、上記音声再生手段の残りの動作時間に対応した上記電池電源の残量を表示することを特徴とする請求項１記載の電子カメラ。
【請求項７】
動作電力を供給する電池電源と、
最寄りの基地局と交信する通信手段と、
音声を再生する音声再生手段と、
この音声再生手段の動作時間を制限し、上記電池電源の電力を残しておく電源制御手段と、
上記電池電源の残量を表示する表示手段と
を具備したことを特徴とする携帯端末機器。
【請求項８】
その機器本来の第１の機能と、付加的機能である第２の機能とを動作可能な、電池電源を備える携帯機器の電源制御方法であって、
上記第２の機能の動作を制限し、上記第１の機能に供給する上記電池電源の電力を残す電源制御工程と、
上記電池電源の制限された第２の機能の残りの動作可能情報とを表示する表示工程と
を有したことを特徴とする電源制御方法。
【請求項９】
その機器本来の第１の機能と、付加的機能である第２の機能とを動作可能な、電池電源を備えた携帯機器に内蔵されたコンピュータが実行するプログラムであって、
上記第２の機能の動作を制限し、上記第１の機能に供給する上記電池電源の電力を残す電源制御ステップと、
上記電池電源の制限された第２の機能の残りの動作可能情報とを表示する表示ステップと
をコンピュータに実行させることを特徴とするプログラム。
【発明の詳細な説明】
【０００１】
【発明の属する技術分野】
本発明は、電池を電源とした電子カメラ、携帯端末機器、電源制御方法及びプログラムに関する。
【０００２】
【従来の技術】
近時、デジタルカメラが高機能化する一方で小型軽量化も進んだことにより、常時携帯し、気に入った風景などをその場で気軽にスナップ撮影して画像をパーソナルコンピュータ等に取込んで楽しむことも可能となっている。
【０００３】
デジタルカメラ単体で容量が制限されている電池電源を有効に活用するべく、詳細な省電力モードを設定可能としたものは種々考えられている。（例えば、特許文献１参照。）
しかして、デジタルカメラや携帯電話端末の一部の機種には、常時携帯することを前提として、パーソナルコンピュータ等から音楽データを取込んだメモリカードとヘッドホンを装着して携帯音楽プレーヤとしても使用することが可能なものがある。
【０００４】
この種の音楽再生機能が付いたデジタルカメラでは、音楽再生機能と画像の撮影機能とを、１つの電池電源からの供給電力で賄っている。
【０００５】
したがって、音楽再生機能により電池電源からある程度の電力を使用した後に、画像の撮影機能に移行したところ、撮影の方が消費電力が大きいこともあって、撮影に必要な電力が残っておらず、撮影を行なえないという事態に陥ることも充分にあり得る。
【０００６】
【特許文献１】
特開２００１−３２０６２６号公報
【０００７】
【発明が解決しようとする課題】
そこで、音楽再生機能用と画像撮影用で物理的に２つの電池電源を設け、各機能それぞれで独立した電源管理を行なう方法も考えられるが、装置の小型軽量化と相反することになり、現実的ではない。
【０００８】
また、２つの機能で使用する電力を予め固定的に配分するものとし、音楽再生機能用の電力を使い終えた時点でその動作を停止させる方法も考えられるが、その場合ユーザにとっては、電源電池の残量表示からまだ電力が残っていることがわかるにも拘わらず、唐突に音楽再生が停止されてしまうため、納得がいかず、不満を生じることにもなる。
【０００９】
本発明は上記のような実情に鑑みてなされたもので、その目的とするところは、容量が制限された電池電源を有効に使用し、付加機能の動作により本来の機能の動作が阻害されるのを確実に防止しながら、ユーザに動作状態を充分に把握させることが可能な電子カメラ、携帯端末機器、電源制御方法及びプログラムを提供することにある。
【００１０】
【課題を解決するための手段】
請求項１記載の発明は、動作電力を供給する電池電源と、画像を撮影する撮影手段と、音声を再生する音声再生手段と、この音声再生手段の動作時間を制限し、上記電池電源の電力を残しておく電源制御手段と、上記電池電源の残量を表示する表示手段とを具備したことを特徴とする。
【００１１】
このような構成とすれば、電池電源の残量と共に、制限された音声再生の残りの動作時間が表示されるため、ユーザも電池の消耗度合いを客観的に把握できる。
【００１２】
請求項２記載の発明は、上記請求項１記載の発明において、上記電池電源の残量を指定する指定手段をさらに具備し、上記電源制御手段は、上記撮影手段に供給する電源の電力を残し、上記指定手段で指定された電池電源の残量に基づいて上記音声再生手段の動作時間を制限することを特徴とする。
【００１３】
このような構成とすれば、上記請求項１記載の発明の作用に加えて、撮影動作との兼ね合いによりユーザ自身が好みに応じて音声再生の動作時間を任意に指定できる。
【００１４】
請求項３記載の発明は、上記請求項１記載の発明の作用に加えて、上記撮影手段による撮影枚数を指定する指定手段をさらに具備し、上記電源制御手段は、上記撮影手段に供給する電源の電力を残し、上記指定手段で指定された撮影枚数に基づいて上記音声再生手段の動作時間を制限することを特徴とする。
【００１５】
このような構成とすれば、上記請求項１記載の発明の作用に加えて、撮影動作による画像の撮影枚数を確保した上で音声再生動作に配分できる電力を決定するため、電池電源を有効に使用し、カメラとして必要な動作は確保しながら、余剰電力を音声再生にも活かすことができる。
【００１６】
請求項４記載の発明は、上記請求項１記載の発明において、上記表示手段は、上記音声再生手段の残りの動作時間とその時点で電池電源の残量に応じて上記撮影手段で撮影可能な枚数のいずれか一方を切換えて表示することを特徴とする。
【００１７】
このような構成とすれば、上記請求項１記載の発明の作用に加えて、ユーザの好みにより切換えて確実に電池残量をユーザに把握させることができる。
【００１８】
請求項５記載の発明は、上記請求項１記載の発明において、上記表示手段は、上記音声再生手段の残りの動作時間とその時点で電池電源の残量に応じて上記撮影手段で撮影可能な枚数を共に表示することを特徴とする。
【００１９】
このような構成とすれば、上記請求項１記載の発明の作用に加えて、２つの機能それぞれに対応した電池残量を客観的にユーザに把握させることができる。
【００２０】
請求項６記載の発明は、上記請求項１記載の発明において、上記表示手段は、上記音声再生手段の残りの動作時間に対応した上記電池電源の残量を表示することを特徴とする。
【００２１】
このような構成とすれば、上記請求項１記載の発明の作用に加えて、画像撮影用の電力を残しておきつつ、あたかも電池の残量がなくなったかのような表示で音楽再生を停止させるため、ユーザも心情的に納得し易い。
【００２２】
請求項７記載の発明は、動作電力を供給する電池電源と、最寄りの基地局と交信する通信手段と、音声を再生する音声再生手段と、この音声再生手段の動作時間を制限し、上記電池電源の電力を残しておく電源制御手段と、上記電池電源の残量を表示する表示手段とを具備したことを特徴とする。
【００２３】
このような構成とすれば、電池電源の残量と共に、制限された音声再生の残りの動作時間が表示されるため、ユーザも電池の消耗度合いを客観的に把握できる。
【００２４】
請求項８記載の発明は、その機器本来の第１の機能と、付加的機能である第２の機能とを動作可能な、電池電源を備える携帯機器の電源制御方法であって、上記第２の機能の動作を制限し、上記第１の機能に供給する上記電池電源の電力を残す電源制御工程と、上記電池電源の制限された第２の機能の残りの動作可能情報とを表示する表示工程とを有したことを特徴とする。
【００２５】
このような方法とすれば、電池電源の残量と共に、制限された第２の機能の残りの動作時間が表示されるため、ユーザも電池の消耗度合いを客観的に把握できる。
【００２６】
請求項９記載の発明は、その機器本来の第１の機能と、付加的機能である第２の機能とを動作可能な、電池電源を備えた携帯機器に内蔵されたコンピュータが実行するプログラムであって、上記第２の機能の動作を制限し、上記第１の機能に供給する上記電池電源の電力を残す電源制御ステップと、上記電池電源の制限された第２の機能の残りの動作可能情報とを表示する表示ステップとをコンピュータに実行させることを特徴とする。
【００２７】
このようなプログラム内容とすれば、電池電源の残量と共に、制限された第２の機能の残りの動作時間が表示されるため、ユーザも電池の消耗度合いを客観的に把握できる。
【００２８】
【発明の実施の形態】
（第１の実施形態）
以下本発明を音楽再生機能付きのデジタルスチルカメラ（以下「デジタルカメラ」と略称する）に適用した場合の第１の実施形態について図面を参照して説明する。
【００２９】
図１はその外観構成を示すもので、図１（Ａ）が主に前面の、図１（Ｂ）が主に背面の構成を示す斜視図である。
【００３０】
このデジタルカメラ１は、略矩形の薄板状ボディの前面に、撮影レンズ２、セルフタイマランプ３、光学ファインダ窓４、マイクロホン部５、及びストロボ発光部６を配設し、上面には電源キー７及びシャッタキー８を配する。
【００３１】
電源キー７は、電源のオン／オフ毎に操作するキーであり、シャッタキー８は、画像撮影モード時に撮影を指示する一方で、メニュー選択等では設定／実行を指示するキーとしても機能するものとする。
【００３２】
また、デジタルカメラ１の背面には、モードスイッチ９、スピーカ部１０、十字キー１１、光学ファインダ１２、ストロボチャージランプ１３、及び表示部１４を配する。
【００３３】
モードスイッチ９は、例えばスライドスイッチにより構成され、カメラ機能としての画像撮影モード「Ｒ」及び画像再生モード「Ｐ」と、音楽再生機能としての音楽再生モード「♪」とを切換える。
【００３４】
十字キー１１は、上下左右各方向へのカーソル移動用のキーが一体に形成されたものである。
【００３５】
表示部１４は、バックライト付きのカラー液晶パネルで構成されるもので、カメラ機能の撮影モード時には電子ファインダとしてモニタ表示を行なう一方で、同カメラ機能の再生モード時には選択した画像を再生表示する。また、それぞれの動作状態に応じて、電源となる電池の残量を含む、各種制御情報を表示する。
【００３６】
さらに、デジタルカメラ１の右側面部には、携帯用ストラップ装着部１５を設ける。
【００３７】
なお、図示はしないがデジタルカメラ１の底面、右端側には、音楽再生機能動作時にヘッドホンを装着するためのヘッドホンジャックが設けられるものとする。
【００３８】
次いで図２により上記デジタルカメラ１の電子回路構成を説明する。
画像撮影モードでのモニタリング状態においては、モータ（Ｍ）２１の駆動により合焦位置や絞り位置が移動される、上記撮影レンズ２を含むレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３９】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ２９に出力される。
【００４０】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４１】
制御部３２は、ＣＰＵと、後述する電池残量表示の処理を含むＣＰＵで実行される動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４２】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１４に出力する。
【００４３】
この表示部１４は、上述した如く画像撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４４】
このように表示部１４にその時点での画像がモニタ画像としてリアルタイムに表示されている状態で、静止画撮影を行ないたいタイミングで操作部３６を構成する上記シャッタキー８を操作すると、トリガ信号を発生する。
【００４５】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４６】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４７】
そして、得た符号データを１画像のデータファイルとして該ＪＰＥＧ回路３７から読出し、このデジタルカメラ１の記録媒体として着脱自在に装着されるメモリカード内に封入された、不揮発性メモリであるフラッシュメモリ３８に書込む。
【００４８】
なお、上記フラッシュメモリ３８はさらに、このデジタルカメラ１の内蔵メモリの記録媒体として併設していても良い。
【００４９】
そして、１フレーム分の輝度及び色差信号の圧縮処理及びフラッシュメモリ３８への全圧縮データの書込み終了に伴なって、制御部３２はＣＣＤ２３からＤＲＡＭ３１への経路を再び起動する。
【００５０】
なお、制御部３２にはさらに、音声処理部３９が接続される。
音声処理部３９は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）にしたがってデータ圧縮して音声データファイルを作成して制御部３２へ送出する一方、音声の再生時には送られてきた音声データファイルの圧縮を解いてアナログ化し、上記スピーカ部（ＳＰ）１０を駆動して、録音した音声や楽曲等を拡声放音させる。
【００５１】
上記キー入力部２７は、上述した電源キー７、シャッタキー８、モードスイッチ９、十字キー１１等から構成され、それらのキー操作に伴なう信号は直接制御部３２へ送出される。
【００５２】
また、図示はしないが、このデジタルカメラ１の各回路に動作電力を供給するための電源として、例えばリチウムイオン２次電池とその充放電を制御する電源制御回路とが設けられるものとする。
【００５３】
画像再生モード時には、制御部３２がフラッシュメモリ３８に記録されている画像データを選択的に読出し、ＪＰＥＧ回路３７で画像撮影モード時にデータ圧縮した手順と全く逆の手順で圧縮されている画像データを伸長し、伸長した画像データをＶＲＡＭコントローラ３３を介してＶＲＡＭ３４に展開して記憶させた上で、このＶＲＡＭ３４より定期的に読出し、これらの画像データを元にビデオ信号を発生して上記表示部１４で再生出力させる。
【００５４】
次に上記実施の形態の動作について説明する。
このデジタルカメラ１にあっては、「設定メニュー」中で「電池残量表示」や「制限設定」の項目を選択した上で、ユーザが任意に電池の残量表示の形態や電池の制限設定の形態を切換選択するものとする。
【００５５】
そして、具体的な表示部１４の残量表示の形態としては、「通常表示」「使用モード基準表示」「２モード表示」「撮影モード基準表示」の４つがあるものとする。
【００５６】
「通常表示」は、電源である電池の残量をそのまま表示するものである。
【００５７】
「使用モード基準表示」は、その時点で選択している動作モードを基準にして電源である電池の残量を表示するものである。
【００５８】
「２モード表示」は、その時点で選択している動作モードと画像撮影モードの最大２つのモードを基準にして電源である電池の残量を併記して表示するものである。
【００５９】
「撮影モード基準表示」は、その時点で選択している動作モードに関係なく、画像撮影モードを基準にして電源である電池の残量を表示するものである。
【００６０】
図３は、電源オン時に主として制御部３２が動作プログラムに従って実行する、表示部１４での電池の残量表示の設定に係る処理内容を示すもので、その当初には設定メニュー中で「電池残量表示」の項目が選択されるか、「制限設定」の項目が選択されるのを繰返し判断することで、これらの選択操作を待機する（ステップＡ０１，Ａ１３）。
【００６１】
そして、「電池残量表示」が選択されると、ステップＡ０１でこれを判断し、図４（Ａ）に示すように上述した４つの表示形態を一覧表示し、そのうちの１つを例えば反転表示するなどしてカーソル選択した状態で、例えば上記十字キー１１の上下方向キーの操作によるカーソル移動とシャッタキー８の操作による選択の指示とを受付ける。
【００６２】
しかるにこの状態で、「通常表示」が選択されたか否か（ステップＡ０２）、「使用モード基準表示」が選択されたか否か（ステップＡ０３）、「２モード表示」が選択されたか否か（ステップＡ０４）、及び「撮影モード基準表示」が選択されたか否か（ステップＡ０５）を繰返し判断することで、これらのいずれかが選択されるのを待機する。
【００６３】
また、設定メニュー中で「電池残量表示」の項目ではなく「制限設定」が選択された場合、上記ステップＡ１３でこれを判断し、次に図４（Ｂ）または図４（Ｄ）に示すように「電池残量」に基づいて制限設定を行なうか、「撮影可能枚数」に基づいて制限設定を行なうかを促す表示を表示部１４で行なうと共に、例えば上記十字キー１１の上下方向キーの操作によるカーソル移動とシャッタキー８の操作による選択の指示とを受付け、そのうちの「電池残量」に基づく制限設定を行なうか否かを判断する（ステップＡ０９）。
【００６４】
上記図４（Ｂ）に示すカーソル表示状態からシャッタキー８が操作され、「電池残量」による制限設定が選択された場合、ステップＡ０９でこれを判断し、画像撮影モードでの動作ができるように制限指定を電池残量の割合、具体的には「％」の数値を指定して設定を行なう（ステップＡ１１）。
【００６５】
この設定動作も、具体的には例えば上記十字キー１１の上下方向キーの操作による数値の増減とシャッタキー８の操作による設定の指示とを受付けるもので、図４（Ｃ）は「電池残量」を「３０％」に指定した場合の表示部１４画面を例示するものである。
【００６６】
このように設定を実行した後、次の設定変更に備えて再び上記ステップＡ０１からの処理に戻る。
【００６７】
また、上記ステップＡ０９が「電池残量」による制限設定がなされないと判断した場合、次に「撮影可能枚数」による制限設定がなされたか否かを判断する（ステップＡ１０）。
【００６８】
上記図４（Ｄ）に示すカーソル表示状態からシャッタキー８が操作され、「撮影可能枚数」による制限設定が選択された場合、ステップＡ１０でこれを判断し、画像撮影モードでの動作ができるように制限指定を撮影可能枚数の数値を指定して設定を行なう（ステップＡ１２）。
【００６９】
この設定動作も、具体的には例えば上記十字キー１１の上下方向キーの操作による数値の増減とシャッタキー８の操作による設定の指示とを受付けるもので、図４（Ｅ）は「撮影可能枚数」を「１０枚」に指定した場合の表示部１４画面を例示するものである。
【００７０】
このように設定を実行した後、次の設定変更に備えて再び上記ステップＡ０１からの処理に戻る。
【００７１】
なお、上記ステップＡ１０で「撮影可能枚数」による制限設定も選択されなかった場合には、制限指定を解除するものとして、再び上記ステップＡ０１からの処理に戻る。
【００７２】
また、上記ステップＡ０２で「通常表示」が選択されたと判断した場合には、その選択内容に従って電池電圧に基づいた残量表示のみを行なうものとして設定を実行し（ステップＡ０６）、その後、次の設定変更に備えて再び上記ステップＡ０１からの処理に戻る。
【００７３】
さらに、上記ステップＡ０３で「使用モード基準表示」が選択されたと判断した場合には、その時点で選択している動作モードでの消費電力を基準にして、そのモードで引き続き使用した場合の電池の残量を表示するものとして設定を実行し（ステップＡ０７）、その後、次の設定変更に備えて再び上記ステップＡ０１からの処理に戻る。
【００７４】
また、上記ステップＡ０４で「２モード表示」が設定されたと判断した場合には、その時点で選択している動作モードと画像撮影モードの最大２つのモードを基準にして、それぞれのモードで引き続き使用した場合の電池の残量を表示するものとして設定を実行し（ステップＡ０８）、その後、次の設定変更に備えて再び上記ステップＡ０１からの処理に戻る。
【００７５】
また、上記ステップＡ０５で「撮影モード基準表示」が選択されたと判断した場合には、動作モードに関係なく画像撮影モードでの消費電力を基準にして、電池の残量表示を行なうものとして設定を実行し（ステップＡ１４）、その後、次の設定変更に備えて再び上記ステップＡ０１からの処理に戻る。
【００７６】
次いで上記図３で示した各表示設定に基づく実際の動作モード下での表示部１４の画面を以下に例示する。
図５は、「通常表示」且つ「制限設定」を設定した場合の音楽再生モード時の表示画面を例示するものである。この場合、その時点で選択されているのが音楽再生モードであることを「ＡＵＤＩＯ」の文字で表示すると共に、乾電池の形状を模した電池残量マークＢＴを「制限中」の文字と共に表示し、当該マークＢＴ中で電池の消耗の度合いに応じた残量を棒グラフ状に表示している。
【００７７】
ここで電池残量マークＢＴで表示するのは、上記図３及び図４でも示した、制限している残量を除外した部分であるものとする。
したがって、その部分を完全に使い切ってしまった場合には、実際には制限している残量についてまだ使用可能であるにも拘わらず、表示部１４の電池残量マークＢＴではあたかも残量が「０（ゼロ）」になってしまったかのように表示されることになる。
【００７８】
そのため、制限した通り画像撮影用の電力を残しておきつつ、あたかも電池の残量がなくなったかのような表示で音楽再生を停止させるため、このデジタルカメラ１のユーザも心情的に納得し易い。
【００７９】
図６（Ａ）及び図６（Ｂ）は、共に「使用モード基準表示」の設定を行なった場合の表示部１４の画面を例示するものである。
図６（Ａ）は、音楽再生モード動作時の表示画面を例示するものである。この場合、その時点で選択されているのが音楽再生モードであることを「ＡＵＤＩＯ」の文字で表示すると共に、乾電池の形状を模した電池残量マークＢＴと音楽再生モード基準であることを示すスピーカマークＳを併設して表示し、電池残量マークＢＴ中で電池の消耗の度合いに応じた残量を棒グラフ状に表示している。
【００８０】
図６（Ｂ）は、画像撮影モード動作時の表示画面を例示するものである。この場合、その時点で選択されているのが画像撮影モードであるため、表示部１４の画面全体でモニタ画像を表示すると共に、乾電池の形状を模した電池残量マークＢＴと画像撮影モード基準であることを示すカメラマークＣを併設して表示し、電池残量マークＢＴ中で電池の消耗の度合いに応じた残量を棒グラフ状に表示している。
【００８１】
図７は、「２モード表示」の設定を行なった場合の表示部１４の画面を例示するものである。この場合、音楽再生モード動作時の表示画面を例示するものであり、その時点で選択されているのが音楽再生モードであることを「ＡＵＤＩＯ」の文字で表示すると共に、乾電池の形状を模した電池残量マークＢＴ１と画像撮影モード基準の電池残量であることを示すカメラマークＣとを併設して表示する一方で、合わせて乾電池の形状を模した第２の電池残量マークＢＴ２と音楽再生モード基準の電池残量であることを示すスピーカマークＳを併設して表示し、それぞれのモードにおける電池の消耗の度合いに応じた残量を棒グラフ状に表示している。
【００８２】
この場合、各電池残量マークＢＴ１，ＢＴ２から、画像撮影モード時には半分くらいの電池残量が確保されていて、音楽再生モード時の電池残量はほとんどあることが視覚的にも理解できる。
【００８３】
加えて、画像撮影モードと音楽再生モードの２つのモードでの電池残量を併記して表示することにより、電池残量をより客観的にユーザに把握させることができる。
【００８４】
図８（Ａ）及び図８（Ｂ）は、音声再生モードの動作途中で「撮影モード基準表示」から「使用モード基準表示」に設定を変更した場合の表示部１４の画面を例示するものである。
【００８５】
図８（Ａ）は、「撮影モード基準表示」を設定した状態での、音楽再生モード動作時の表示画面を例示するものである。この場合、その時点で選択されているのが音楽再生モードであることを「ＡＵＤＩＯ」の文字で表示すると共に、乾電池の形状を模した電池残量マークＢＴと撮影モード基準表示であることを示すカメラマークＣを併設して表示し、電池残量マークＢＴ中で電池の消耗の度合いに応じた残量を棒グラフ状に表示している。
【００８６】
図８（Ｂ）は、上記図８（Ａ）の状態からキー操作により「使用モード基準表示」に切換えた場合の表示画面を例示するものである。この場合、その時点で選択されているのが音楽再生モードであることを「ＡＵＤＩＯ」の文字で表示すると共に、乾電池の形状を模した電池残量マークＢＴと使用モードである音楽再生モード基準表示であることを示すスピーカマークＳを併設して表示し、電池残量マークＢＴ中で電池の消耗の度合いに応じた残量を棒グラフ状に表示している。
【００８７】
上記図８（Ａ）及び図８（Ｂ）に示す表示の切換えに際して、電池残量マークＢＴの内容が大幅に増大していることから、画像撮影モードで必要な電池残量は半分くらいしかなく、音楽再生モードで使用できる電池残量は半分以上あることがこのデジタルカメラ１のユーザにも視覚的に理解できる。
【００８８】
続いて、図９乃至図１２により表示部１４での他の変形表示例についても説明する。
図９（Ａ）及び図９（Ｂ）は、上記図８の場合と同様に音声再生モードの動作途中で「撮影モード基準表示」から「使用モード基準表示」に設定を変更した場合の表示部１４の画面を例示するものである。
【００８９】
図９（Ａ）は、「撮影モード基準表示」を設定した状態での、音楽再生モード動作時の表示画面を例示するものである。この場合、その時点で選択されているのが音楽再生モードであることを「ＡＵＤＩＯ」の文字で表示すると共に、乾電池の形状を模した電池残量マークＢＴと、撮影モード基準表示として画像撮影モードで電池残量が確保されている撮影画像の枚数「２０枚」を併設して表示し、電池残量マークＢＴ中で電池の消耗の度合いに応じた残量を棒グラフ状に表示している。
【００９０】
図９（Ｂ）は、上記図９（Ａ）の状態からキー操作により「使用モード基準表示」に切換えた場合の表示画面を例示するものである。この場合、その時点で選択されているのが音楽再生モードであることを「ＡＵＤＩＯ」の文字で表示すると共に、乾電池の形状を模した電池残量マークＢＴと、使用モードである音楽再生モードで電池残量に応じた残る再生時間「６０分」を併設して表示し、電池残量マークＢＴ中で電池の消耗の度合いに応じた残量を棒グラフ状に表示している。
【００９１】
このように電池残量に応じて画像撮影モードで撮影できる画像の枚数、音楽再生モードで再生できる時間を直接数値で表示するため、ユーザが電池残量を客観的に把握し易くなる。
【００９２】
図１０は、「２モード表示」の設定を行なった場合の表示部１４の画面を例示するものである。この場合、音楽再生モード動作時の表示画面を例示するものであり、その時点で選択されているのが音楽再生モードであることを「ＡＵＤＩＯ」の文字で表示すると共に、乾電池の形状を模した電池残量マークＢＴ１と撮影モード基準表示として画像撮影モードで電池残量が確保されている撮影画像の枚数「２０枚」とを併設して表示する一方で、合わせて乾電池の形状を模した第２の電池残量マークＢＴ２と、使用モードである音楽再生モードで電池残量に応じた残る再生時間「６０分」を併設して表示し、それぞれのモードにおける電池の消耗の度合いに応じた残量を棒グラフ状に表示している。
【００９３】
この場合、各電池残量マークＢＴ１，ＢＴ２から、画像撮影モード時には半分くらい電池残量が確保されていて、音楽再生モード時の電池残量は十分確保されていることが視覚的にも理解できる。
【００９４】
図１１（Ａ）及び図１１（Ｂ）は、上記図８の場合と同様に音声再生モードの動作途中で「撮影モード基準表示」から「使用モード基準表示」に設定を変更した場合の表示部１４の画面を例示するものである。
【００９５】
図１１（Ａ）は、「撮影モード基準表示」を設定した状態での、音楽再生モード動作時の表示画面を例示するものである。この場合、その時点で選択されているのが音楽再生モードであることを「ＡＵＤＩＯ」の文字で表示すると共に、撮影モード基準表示として画像撮影モードで電池残量が確保されている撮影画像の枚数「２０枚」を表示している。
【００９６】
図１１（Ｂ）は、上記図１１（Ａ）の状態からキー操作により「使用モード基準表示」に切換えた場合の表示画面を例示するものである。この場合、その時点で選択されているのが音楽再生モードであることを「ＡＵＤＩＯ」の文字で表示すると共に、使用モードである音楽再生モードで電池残量に応じた残る再生時間「６０分」を表示している。
【００９７】
このように電池残量に応じて画像撮影モードで撮影できる画像の枚数、音楽再生モードで再生できる時間を切換えて直接数値で表示するため、ユーザが電池残量を客観的に把握し易くなる。
【００９８】
図１２は、「２モード表示」の設定を行なった場合の表示部１４の画面を例示するものである。この場合、音楽再生モード動作時の表示画面を例示するものであり、その時点で選択されているのが音楽再生モードであることを「ＡＵＤＩＯ」の文字で表示すると共に、撮影モード基準表示として画像撮影モードで電池残量が確保されている撮影画像の枚数「２０枚」と使用モードである音楽再生モードで電池残量に応じた残る再生時間「６０分」を併設して表示している。
【００９９】
この場合も、画像撮影モードと音楽再生モードの２つのモードでの電池残量を数値により併記して表示することにより、電池残量をより客観的にユーザに把握させることができる。
【０１００】
また、上記第１の実施の形態ではデジタルカメラの基本機能であり、また消費電力も大きいので、画像撮影モードの基準表示を設けたり、画像撮影モードの動作ができるように電力を残すための制限設定を設けたが、これに限らず他の動作モードの基準表示を設けても良いし、他の動作モードの動作ができるように電力を残すようにしてもよい。
【０１０１】
（第２の実施形態）
以下本発明を音楽再生機能付きのＣＤＭＡ（Ｃｏｄｅ  Ｄｉｖｉｓｉｏｎ  Ｍｕｌｔｉｐｌｅ  Ａｃｃｅｓｓ：符号分割多元接続）方式の携帯端末機（以下「ＣＤＭＡ端末機」と称する）に適用した場合の第２の実施形態について図面を参照して説明する。
【０１０２】
図１３は、この第２の実施形態に係るＣＤＭＡ端末機４０の外観構成を示すもので、ヒンジ部４１を介在して２つの筐体４２，４３が一体に構成された折畳み式となっている。
【０１０３】
上部筐体４２には、アンテナ４４、表示部４５、受話器となるスピーカ４６、及びカメラ機能のためのレンズ部４７が備えられる。
【０１０４】
また、下部筐体４３には、ダイヤルキー等を含む各種キー４８、送話器となるマイクロホン４９の他に、例えばその右側面に蓋付きのメモリカードスロット５０、及びヘッドホンを装着するためのヘッドホンジャック５１が備えられる。
【０１０５】
上記メモリカードスロット５０には、図示する如くメモリカード５２を装着することが可能であり、例えばパーソナルコンピュータ等により音楽データをダウンロードして記録したメモリカード５２をこのメモリカードスロット５０に装着することにより、音楽再生が可能となるものとする。
【０１０６】
図１４は、上記ＣＤＭＡ端末機４０の回路構成を示すものである。同図で、上記アンテナ４４は最寄りの基地局とＣＤＭＡ方式の通信を行なうためのアンテナであり、このアンテナ４４にＲＦ部６１を接続している。
【０１０７】
このＲＦ部６１は、受信時にはアンテナ４４から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部６２へ出力する。
【０１０８】
一方、ＲＦ部６１は送信時に、変復調部６２から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号を、後述する制御部６５からの制御に基づいてＡＧＣ増幅器で送信電力制御した後にＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、上記デュプレクサを介してアンテナ４４より輻射送信させる。
【０１０９】
変復調部６２は、受信時にＲＦ部６１からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、約１０［ＭＨｚ］のサンプルレートでデジタル化してＣＤＭＡ部６３に出力する。
【０１１０】
一方、変復調部６２は送信時に、ＣＤＭＡ部６３から送られてくるデジタル値のＩ・Ｑ信号を約５［ＭＨｚ］のサンプルレートでアナログ化した後に直交変調器でＯＱＰＳＫ変調してＲＦ部６１に送出する。
【０１１１】
ＣＤＭＡ部６３は、受信時に変復調部６２からのデジタル信号をＰＮ（Ｐｓｅｕｄｏ  Ｎｏｉｓｅ：擬似雑音）符号のタイミング抽出回路及びそのタイミング回路の指示に従って逆拡散・復調を行なう複数の復調回路に入力し、そこから出力される複数の復調シンボルの同期をとって合成器で合成して音声処理部６４に出力する。
【０１１２】
一方、ＣＤＭＡ部６３は送信時に、音声処理部６４からの出力シンボルを拡散処理した後にデジタルフィルタで帯域制限をかけてＩ・Ｑ信号とし、変復調部６２に送出する。
【０１１３】
音声処理部６４は、受信時にＣＤＭＡ部６３からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化して上記スピーカ（ＳＰ）４６を拡声駆動させる。
【０１１４】
一方、音声処理部６４は送信時に、マイクロホン（ＭＩＣ）４９から入力されるアナログの音声信号をデジタル化した後に音声処理ＤＳＰでデータ量を１／８以下に圧縮し、それから畳込み符号器で誤り訂正符号化してからインタリーブし、その出力シンボルをＣＤＭＡ部６３へ送出する。
【０１１５】
しかして、上記ＲＦ部６１、変復調部６２、ＣＤＭＡ部６３、及び音声処理部６４に対して制御部６５を接続し、この制御部６５に上記表示部４５、撮像部６６、上記メモリカード５２、音楽再生部６７及びキー入力部６８を接続している。
【０１１６】
ここで制御部６５は、ＣＰＵとその動作プログラムを固定的に記憶したＲＯＭ、及びワークメモリとして使用されるＲＡＭ等で構成され、この端末機４０全体の動作を制御する。
【０１１７】
撮像部６６は、上記レンズ部４７の撮影光軸後方に配置されたＣＣＤ６９での撮影動作を制御し、撮影により得られた画像データを制御部６５へ出力する。
【０１１８】
表示部４５は、バックライト付のカラー液晶表示パネルとその駆動回路とで構成され、後述する表示設定の処理に基づいた電池残量表示等を行なう。
【０１１９】
キー入力部６８は、上記各種キー４８を構成するものであり、具体的には文字入力キーを兼ねたダイヤルキー、「通話」キー、「切」キー、リダイヤルキー、モード選択キー、カーソルキー等を有するもので、その操作信号は直接制御部６５へ入力される。
【０１２０】
音楽再生部６７は、上記メモリカード５２に記録されている、例えばＭＰ３のファイル形式の音楽データを読出して再生し、アナログ化して上記ヘッドホンジャック５１よりここでは図示しないヘッドホンへ出力する。
【０１２１】
なお、図示はしないが、このＣＤＭＡ端末機４０の各回路に動作電力を供給するための電源として、例えばリチウムイオン２次電池とその充放電を制御する電源制御回路とが設けられるものとする。
【０１２２】
次に上記実施の形態の動作について説明する。
このＣＤＭＡ端末機４０にあっては、基本モードとして携帯電話端末としての待受け動作を行なう「待受けモード」、着信または自機側からの発信により通話に移行する「通話モード」、メモリカード５２に記録されている音楽データを再生させる「音楽再生モード」及び撮影した画像データをメモリカード５２に記録する「カメラモード」があるものとする。「カメラモード」や「音楽再生モード」の動作中であっても、着信があった場合、あるいは発信先を指定した場合には自動的に「カメラモード」や「音楽再生モード」を停止し、「通話モード」に移行する。
【０１２３】
また、各種キー４８の操作によりユーザが任意に設定操作する「設定メニュー」中で「電池残量表示」や「制限設定」の項目を選択した上で、必要により電池の残量表示の形態や電池の制限設定の形態を切換選択できるものとする。
【０１２４】
具体的な表示部４５の残量表示の形態としては、「通常表示」「使用モード基準表示」「２モード表示」「通話モード基準表示」の４つがあるものとする。
【０１２５】
「通常表示」は、電源である電池の残量をそのまま表示するものである。
【０１２６】
「使用モード基準表示」は、その時点で選択している動作モードを基準にして電源である電池の残量を表示するものである。
【０１２７】
「２モード表示」は、その時点で選択している動作モードと通話モードの最大２つのモードを基準にして電源である電池の残量を併記して表示するものである。
【０１２８】
「通話モード基準表示」は、その時点で選択している動作モードに関係なく、通話モードを基準にして電源である電池の残量を表示するものである。
【０１２９】
図１５は、電源がオンされている状態で、主として制御部６５が動作プログラムに従って実行する、表示部４５での電池の残量表示の設定に係る処理内容を示すもので、その当初には設定メニュー中で「電池残量表示」の項目か「制限設定」の項目が選択されたか否かを繰返し判断することで、これらの選択操作を待機する（ステップＢ０１，Ｂ１３）。
【０１３０】
そして、「電池残量表示」が選択されると、ステップＢ０１でこれを判断し、上述した４つの表示形態を一覧表示し、そのうちの１つを例えば反転表示するなどしてカーソル選択した状態で、例えば上記十字キー１１の上下方向キーの操作によるカーソル移動とシャッタキー８の操作による選択の指示とを受付ける。
【０１３１】
しかるにこの状態で、「通常表示」が選択されたか否か（ステップＢ０２）、「使用モード基準表示」が選択されたか否か（ステップＢ０３）、「２モード表示」が選択されたか否か（ステップＢ０４）、及び「通話モード基準表示」が選択されたか否か（ステップＢ０５）を繰返し判断することで、これらのいずれかが選択されるのを待機する。
【０１３２】
また、設定メニュー中で「電池残量表示」の項目ではなく「制限設定」が選択された場合、上記ステップＢ１３でこれを判断し、次に「電池残量」に基づいて制限設定を行なうか、「通話可能時間」に基づいて制限設定を行なうかを促す表示を表示部１４で行なうと共に、例えば上記十字キー１１の上下方向キーの操作によるカーソル移動とシャッタキー８の操作による選択の指示とを受付け、そのうちの「電池残量」に基づく制限設定を行なうか否かを判断する（ステップＢ０９）。
【０１３３】
「電池残量」による制限設定が選択された場合、ステップＢ０９でこれを判断し、通話モードでの動作ができるように制限指定を電池残量の割合、具体的には「％」の数値を指定して設定を行なう（ステップＢ１１）。
【０１３４】
この設定動作も、具体的には例えば上記十字キー１１の上下方向キーの操作による数値の増減とシャッタキー８の操作による設定の指示とを受付けるもので、このように設定を実行した後、次の設定変更に備えて再び上記ステップＢ０１からの処理に戻る。
【０１３５】
また、上記ステップＢ０９が「電池残量」による制限設定がなされないと判断した場合、次に「通話可能時間」による制限設定がなされたか否かを判断する（ステップＢ１０）。
【０１３６】
「通話可能時間」による制限設定が選択された場合、ステップＢ１０でこれを判断し、通話モードでの動作ができるように制限指定を通話可能時間の数値を指定して設定を行なう（ステップＢ１２）。
【０１３７】
この設定動作も、具体的には例えば上記十字キー１１の上下方向キーの操作による数値の増減とシャッタキー８の操作による設定の指示とを受付けるもので、このように設定を実行した後、次の設定変更に備えて再び上記ステップＢ０１からの処理に戻る。
【０１３８】
なお、上記ステップＢ１０で「通話可能時間」による制限設定も選択されなかった場合には、制限指定を解除するものとして、再び上記ステップＢ０１からの処理に戻る。
【０１３９】
また、上記ステップＢ０２で「通常表示」が選択されたと判断した場合には、その選択内容に従って電池電圧に基づいた残量表示のみを行なうものとして設定を実行し（ステップＢ０６）、その後、次の設定変更に備えて再び上記ステップＢ０１からの処理に戻る。
【０１４０】
さらに、上記ステップＢ０３で「使用モード基準表示」が選択されたと判断した場合には、その時点で選択している動作モードでの消費電力を基準にして、そのモードで引き続き使用した場合の電池の残量を表示するものとして設定を実行し（ステップＢ０７）、その後、次の設定変更に備えて再び上記ステップＢ０１からの処理に戻る。
【０１４１】
また、上記ステップＢ０４で「２モード表示」が設定されたと判断した場合には、その時点で選択している動作モードと通話モードの最大２つのモードを基準にして、それぞれのモードで引き続き使用した場合の電池の残量を表示するものとして設定を実行し（ステップＢ０８）、その後、次の設定変更に備えて再び上記ステップＢ０１からの処理に戻る。
【０１４２】
また、上記ステップＢ０５で「通話モード基準表示」が選択されたと判断した場合には、動作モードに関係なく通話モードでの消費電力を基準にして、電池の残量表示を行なうものとして設定を実行し（ステップＢ１４）、その後、次の設定変更に備えて再び上記ステップＢ０１からの処理に戻る。
【０１４３】
このような表示設定を行なうことで、設定した通りの内容が表示部４５に表示されるようになるもので、ＣＤＭＡ端末機４０においては機能的に「カメラモード」や「音楽再生モード」での動作に比して「通話モード」で通話可能な時間の方がより重要な意味を持つため、設定した「通話モード」での通話可能時間を確保した上で適宜電池残量を客観的に提示する内容を表示することにより、このＣＤＭＡ端末機４０のユーザもその度合いを正確に把握することができるようになる。
【０１４４】
また、上記第２の実施形態では、ＣＤＭＡ端末機の基本機能である通話モードの基準表示を設けたり、通話モードの動作ができるように電力を残すための制限設定を設けるものとしたが、これに限らず他の動作モードの基準表示を設けても良いし、他の動作モードの動作ができるように電力を残すようにしてもよい。
【０１４５】
なお、上記第１の実施形態では音楽再生機能付きのデジタルカメラに適用した場合について、第２の実施形態では音楽再生機能付きのＣＤＭＡ端末機に適用した場合について説明したが、本発明はこれらの機器に限定するものではなく、電池を電源とする、複数の機能を有した携帯機器であればいずれにも適用可能であることは勿論である。
【０１４６】
その他、本発明は上記実施の形態に限らず、その要旨を逸脱しない範囲内で種々変形して実施することが可能であるものとする。
【０１４７】
さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１４８】
【発明の効果】
請求項１記載の発明によれば、電池電源の残量と共に、制限された音声再生の残りの動作時間が表示されるため、ユーザも電池の消耗度合いを客観的に把握できる。
【０１４９】
請求項２記載の発明によれば、上記請求項１記載の発明の効果に加えて、撮影動作との兼ね合いによりユーザ自身が好みに応じて音声再生の動作時間を任意に指定できる。
【０１５０】
請求項３記載の発明によれば、上記請求項１記載の発明の効果に加えて、撮影動作による画像の撮影枚数を確保した上で音声再生動作に配分できる電力を決定するため、電池電源を有効に使用し、カメラとして必要な動作は確保しながら、余剰電力を音声再生にも活かすことができる。
【０１５１】
請求項４記載の発明によれば、上記請求項１記載の発明の効果に加えて、ユーザの好みにより切換えて確実に電池残量をユーザに把握させることができる。
【０１５２】
請求項５記載の発明によれば、上記請求項１記載の発明の効果に加えて、２つの機能それぞれに対応した電池残量を客観的にユーザに把握させることができる。
【０１５３】
請求項６記載の発明によれば、上記請求項１記載の発明の効果に加えて、画像撮影用の電力を残しておきつつ、あたかも電池の残量がなくなったかのような表示で音楽再生を停止させるため、ユーザも心情的に納得し易い。
【０１５４】
請求項７記載の発明によれば、電池電源の残量と共に、制限された音声再生の残りの動作時間が表示されるため、ユーザも電池の消耗度合いを客観的に把握できる。
【０１５５】
請求項８記載の発明によれば、電池電源の残量と共に、制限された第２の機能の残りの動作時間が表示されるため、ユーザも電池の消耗度合いを客観的に把握できる。
【０１５６】
請求項９記載の発明によれば、電池電源の残量と共に、制限された第２の機能の残りの動作時間が表示されるため、ユーザも電池の消耗度合いを客観的に把握できる。
【図面の簡単な説明】
【図１】本発明の第１の実施形態に係るデジタルカメラの外観構成を示す斜視図。
【図２】同実施形態に係る回路構成を示すブロック図。
【図３】同実施形態に係る電池の残量表示の設定処理の内容を示すフローチャート。
【図４】同実施形態に係る電池の残量表示の設定処理時に表示される画面段階を例示する図。
【図５】同実施形態に係る主として音楽再生モード時の表示画面を例示する図。
【図６】同実施形態に係る主として音楽再生モード時の表示画面を例示する図。
【図７】同実施形態に係る主として音楽再生モード時の表示画面を例示する図。
【図８】同実施形態に係る主として音楽再生モード時の表示画面を例示する図。
【図９】同実施形態に係る主として音楽再生モード時の他の表示画面を例示する図。
【図１０】同実施形態に係る主として音楽再生モード時の他の表示画面を例示する図。
【図１１】同実施形態に係る主として音楽再生モード時の他の表示画面を例示する図。
【図１２】同実施形態に係る主として音楽再生モード時の他の表示画面を例示する図。
【図１３】本発明の第２の実施形態に係る携帯電話端末の外観構成を示す斜視図。
【図１４】同実施形態に係る回路構成を示すブロック図。
【図１５】同実施形態に係る電池の残量表示の設定処理の内容を示すフローチャート。
【符号の説明】
１…デジタルカメラ
２…撮影レンズ
３…セルフタイマランプ
４…光学ファインダ窓
５…マイクロホン部
６…ストロボ発光部
７…電源キー
８…シャッタキー
９…モードスイッチ
１０…スピーカ部
１１…十字キー
１２…光学ファインダ
１３…ストロボチャージランプ
１４…表示部
１５…携帯用ストラップ装着部
２１…モータ（Ｍ）
２２…レンズ光学系
２３…ＣＣＤ
２４…タイミング発生器（ＴＧ）
２５…垂直ドライバ
２６…サンプルホールド回路（Ｓ／Ｈ）
２７…Ａ／Ｄ変換器
２８…カラープロセス回路
２９…ＤＭＡコントローラ
３０…ＤＲＡＭインタフェース（Ｉ／Ｆ）
３１…ＤＲＡＭ
３２…制御部
３３…ＶＲＡＭコントローラ
３４…ＶＲＡＭ
３５…デジタルビデオエンコーダ
３６…操作部
３７…ＪＰＥＧ回路
３８…フラッシュメモリ
３９…音声処理部
４０…ＣＤＭＡ端末機
４１…ヒンジ部
４２…上部筐体
４３…下部筐体
４４…アンテナ
４５…表示部
４６…スピーカ
４７…レンズ部
４８…各種キー
４９…マイクロホン
５０…メモリカードスロット
５１…ヘッドホンジャック
５２…メモリカード
６１…ＲＦ部
６２…変復調部
６３…ＣＤＭＡ部
６４…音声処理部
６５…制御部
６６…撮像部
６７…音楽再生部
６８…キー入力部
６９…ＣＣＤ
ＢＴ，ＢＴ１，ＢＴ２…電池残量マーク
Ｃ…カメラマーク
Ｓ…スピーカマーク
【図１】
2004207989.tif 000003
【図２】
2004207989.tif 000004
【図３】
2004207989.tif 000005
【図４】
2004207989.tif 000006
【図５】
2004207989.tif 000007
【図６】
2004207989.tif 000008
【図７】
2004207989.tif 000009
【図８】
2004207989.tif 000010
【図９】
2004207989.tif 000011
【図１０】
2004207989.tif 000012
【図１１】
2004207989.tif 000013
【図１２】
2004207989.tif 000014
【図１３】
2004207989.tif 000015
【図１４】
2004207989.tif 000016
【図１５】
2004207989.tif 000017